(57)【特許請求の範囲】
【請求項１】
平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、
前記包囲段差部の一部として設けられ、前記シールの側面に当接して前記シールを前記シール貼付面内で二次元的に位置決めし、前記包囲段差部の前記一部を除いた全体と前記シールとの間に隙間を形成する位置決段差部を備え、
前記シールは、一方向に向かって徐々に幅狭となる形状をなし、
前記位置決段差部は、前記シールの幅狭側の端部における幅方向の両側の１対の非平行な側面に面当接可能に形成されている遊技機。
【請求項２】
平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、
前記包囲段差部の一部として設けられ、前記シールの側面に当接して前記シールを前記シール貼付面内で二次元的に位置決めし、前記包囲段差部の前記一部を除いた全体と前記シールとの間に隙間を形成する位置決段差部を備え、
遊技球が流下する遊技領域を前面に有すると共に、その遊技領域に前記遊技機構成部品が固定されている遊技板と、
前記遊技板から前方に突出して遊技球と衝突する複数の障害釘と、
前記シールに印刷されて直線状に延び、その延長線上に一部の前記障害釘が位置する釘目印と、を備える遊技機。
【発明の詳細な説明】
【技術分野】
【０００１】
本開示は、シールが装飾された遊技機構成部品を有する遊技機に関する。
【背景技術】
【０００２】
従来、この種の遊技機として、遊技機構成部品にシール貼付面を包囲する包囲段差部が形成され、その包囲段差部の内側にシールが収まるように貼付されているものが知られている（例えば、特許文献１参照）。
【先行技術文献】
【特許文献】
【０００３】
【特許文献１】特開２０１７−１４０１３０号公報（段落［００５７］）
【発明の概要】
【発明が解決しようとする課題】
【０００４】
しかしながら、上記した従来の遊技機では、包囲段差部とシールとのクリアランスにより、シールの位置がシール貼付面内でばらつく。このため、シールをシール貼付面の正しい位置に安定して貼り付けることが可能な遊技機の開発が求められている。
【課題を解決するための手段】
【０００５】
上記課題を解決するためになされた請求項１の発明は、平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、前記包囲段差部の一部として設けられ、前記シールの側面に当接して前記シールを前記シール貼付面内で二次元的に位置決めし、前記包囲段差部の前記一部を除いた全体と前記シールとの間に隙間を形成する位置決段差部を備え、前記シールは、一方向に向かって徐々に幅狭となる形状をなし、前記位置決段差部は、前記シールの幅狭側の端部における幅方向の両側の１対の非平行な側面に面当接可能に形成されている遊技機である。
請求項２の発明は、平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、前記包囲段差部の一部として設けられ、前記シールの側面に当接して前記シールを前記シール貼付面内で二次元的に位置決めし、前記包囲段差部の前記一部を除いた全体と前記シールとの間に隙間を形成する位置決段差部を備え、遊技球が流下する遊技領域を前面に有すると共に、その遊技領域に前記遊技機構成部品が固定されている遊技板と、前記遊技板から前方に突出して遊技球と衝突する複数の障害釘と、前記シールに印刷されて直線状に延び、その延長線上に一部の前記障害釘が位置する釘目印と、を備える遊技機である。
【図面の簡単な説明】
【０００６】
【図１】本開示の実施形態の遊技機が有する遊技板の正面図
【図２】遊技板の一部を拡大した正面図
【図３】入賞突部の正断面図
【図４】入賞突部の正断面図
【図５】遊技機構成部品の前側斜視図
【図６】遊技機構成部品の後側斜視図
【図７】シールをシール貼付凹部に貼り付ける過程の斜視図
【図８】（Ａ）障害釘が正規の状態の遊技板の一部拡大正面図、（Ｂ）障害釘が異常に傾いた状態の遊技板の一部拡大正面図
【図９】遊技機構成部品の分解斜視図
【図１０】遊技機構成部品の分解斜視図
【図１１】ダクト本体から入球口アダプタが分離した状態の斜視図
【図１２】入球口アダプタが分解された状態の斜視図
【図１３】ダクト本体にアダプタ本体が組み付けられた状態の斜視図
【発明を実施するための形態】
【０００７】
以下、図１〜図１３を参照して、本開示の遊技機に相当するパチンコ遊技機の一実施形態について説明する。本実施形態のパチンコ遊技機は、図１に示された遊技板１１を図示しない遊技枠に組み付けてなる。遊技板１１は、例えば、透明な樹脂からなる。また、遊技板１１の前面には、ガイドレール１２に包囲された遊技領域Ｒ１が備えられ、その遊技領域Ｒ１が、遊技枠のガラス窓を通して視認可能になっている。そして、遊技枠に備えたハンドルの操作によって遊技球が遊技領域Ｒ１の左上の進入口１３から遊技領域Ｒ１内に打ち込まれて流下する。また、遊技領域Ｒ１内には、複数の入賞口が備えられると共に、遊技領域Ｒ１における遊技板１１の前面からは、遊技球をランダムに流下させるための複数の障害釘２９が突出している。そして、遊技球が何れかの入賞口に入賞するか否か、及び、一部の入賞口への入賞に伴って行われる当否判定で当りになるか否かを遊技者は楽しむことができる。
【０００８】
具体的には、遊技板１１には、遊技領域Ｒ１内に演出窓１５が貫通した状態に形成され、遊技板１１の後部に備えられた表示装置１４の表示画面１４Ｇが演出窓１５を通して前方に臨んでいる。また、演出窓１５には、前方から装飾枠１６が嵌め込まれ、その装飾枠１６に備えた入球規制突片１６Ｔが演出窓１５の開口縁のうち下辺部を除く全体から前方に突出し、遊技球が演出窓１５内に進入することを規制している。
【０００９】
演出窓１５の開口縁の下辺部には、遊技球が転動するステージ１７が形成されている。そのステージ１７は、下方に膨らむ湾曲形状をなすと共に、前縁部には遊技球の前側への転落を防ぐ土手壁１７Ｗが備える。また、ステージ１７の最下端部には、土手壁１７Ｗを切除して遊技球を１つずつ排出可能な第１排出部１７Ａが形成されると共に、その両側に第１排出部１７Ａより幅広に土手壁１７Ｗを切除して１対の第２排出部１７Ｂが形成されている。
【００１０】
装飾枠１６の左辺の下端部には、ダクト１８が備えられている。ダクト１８の内部は、遊技球が１つずつ通過可能な大きさをなし、そのダクト１８の上端部は、装飾枠１６から左側方を向いて開口し、ダクト１８の下端部は、ステージ１７上で後方に向かって開口している。つまり、ダクト１８を通して遊技球がステージ１７に案内されるようになっている。
【００１１】
演出窓１５の下部の右隣には、大入賞口２１Ｋが設けられている。大入賞口２１Ｋは、遊技板１１の前面に開口して、横長の長方形をなしている。また、大入賞口２１Ｋは、その下縁部を中心に回動する扉２１Ｔによって通常は閉塞されている。そして、後述する何れかの始動入賞口（１９Ｋ，２５Ａ，２５Ｂ）への入賞を条件にして行われる特図判定で当りになると、扉２１Ｔが複数回に亘って斜め前に倒れて開き、遊技球を大入賞口２１Ｋに案内する。
【００１２】
大入賞口２１Ｋの横方向の略中央の上方位置には、普通入賞口２０Ｋが設けられている。普通入賞口２０Ｋは、遊技板１１の前面から前方に突出する入賞突部２０の上面に開口している。
【００１３】
普通入賞口２０Ｋの右上には、始動入賞口１９Ｋが設けられている。始動入賞口１９Ｋは、遊技板１１の前面から突出してガイドレール１２に隣接配置された入賞突部１９の左側面に開口している。また、始動入賞口１９Ｋは、始動入賞口１９Ｋの下端部に回動軸を有する回動扉１９Ｔによって通常は閉塞されている。そして、所定の条件の成立を条件にして行われる普図判定で当りになると、回動扉１９Ｔが左側に倒れて遊技球を始動入賞口１９Ｋに案内する。
【００１４】
遊技領域Ｒ１の左下部には、普通入賞口２２Ｋ，２３Ｋとアウト口２６Ａ，２６Ｂとが設けられている。普通入賞口２２Ｋとアウト口２６Ａは、遊技板１１の前面から突出する入賞突部２２の上部に隣り合わせに設けられている。また、普通入賞口２３Ｋは、入賞突部２２の斜め右下に配置されて遊技板１１の前面から突出する入賞突部２３の上部に設けられている。さらに、アウト口２６Ｂは、入賞突部２３の斜め右下に配置され、遊技板１１の前面に開口している。そして、ガイドレール１２の下辺部に到達した遊技球がガイドレール１２に案内されてアウト口２６Ｂに取り込まれるようになっている。
【００１５】
第１排出部１７Ａの真下には、入球口４２が設けられている。入球口４２は、遊技板１１から突出した入賞突部４３の上面に開口していて、第１排出部１７Ａから遊技球の２〜４個分離れた位置に配置されている。また、前述した複数の障害釘２９に含まれる１対の特別障害釘２９Ａは、入球口４２の両側部の上方に隣接配置されている。
【００１６】
図２に示すように、入賞突部４３の下端部は、ガイドレール１２の最下端部に重なっている。また、入賞突部４３内の底部のうち入球口４２の真下となる位置にはアウト口２６Ｃが設けられ、その両横には１対の始動入賞口２５Ａ，２５Ｂが備えられている。また、各始動入賞口２５Ａ，２５Ｂのアウト口２６Ｃとは反対側の横にはアウト口２６Ｄ，２６Ｅが設けられている。
【００１７】
上述した始動入賞口２５Ａ，２５Ｂ及びアウト口２６Ｃ〜２６Ｅは、入賞突部４３内のうち遊技板１１の前面と略面一になる面に開口していて、それらの前方には、上方から流下してきた遊技球を各始動入賞口２５Ａ，２５Ｂ及び各アウト口２６Ｃ〜２６Ｅに案内するガイド部２７，２８が設けられている。具体的には、始動入賞口２５Ａ，２５Ｂのガイド部２７は、断面円弧状の溝形構造をなし、後方に向かって湾曲しながら下るように傾斜している。また、アウト口２６Ｃ〜２６Ｅのガイド部２８は、後方に向かって直線状に下るように傾斜した１対のリブからなる。
【００１８】
入賞突部４３のうち遊技球が流下する内部流路９０Ｒには、上端寄り位置に、横幅が最も狭くなった絞り部４４が設けられている。絞り部４４は、遊技球の直径より僅かに大きな横幅をなしている。また、絞り部４４の真下には、振分部材４５が備えられている。図３に示すように、振分部材４５は、下方に向かって横幅が広がる左右対称形状をなし、その左右の両辺は、僅かに窪むように湾曲した１対の球受面４５Ｍになっている。また、振分部材４５のうち対称中心ＣＬ１の下端寄り位置には、回動中心４５Ｐが備えられ、そこを中心に左右対称に例えば３０〜４０度ずつ左右に回動するように支持されている。さらには、振分部材４５の対称中心ＣＬ１上には、回動中心４５Ｐより上側に第１磁石４５Ｇが保持され、振分部材４５の後方の壁部には、対称中心ＣＬ１の鉛直方向と平行になったときに第１磁石４５Ｇに対向する第２磁石４５Ｊ（図１２参照）が保持されている。また、第１と第２の磁石４５Ｇ，４５Ｊ同士は反発力により、振分部材４５が、左右の何れか一方の傾斜姿勢に保持されて何れか一方の球受面４５Ｍが上方を向くようになっている。そして、図３に示すように、右側の傾斜姿勢の振分部材４５の球受面４５Ｍに遊技球が受け止められると、その遊技球の重心が振分部材４５の回動中心４５Ｐより左側に位置して、振分部材４５が図４に示すように左側の傾斜姿勢になる位置まで回動し、その左側の傾斜姿勢の振分部材４５の球受面４５Ｍに遊技球が受け止められると逆の動作を行う。このようにして、振分部材４５により遊技球が１つずつ左右に振り分けられる。
【００１９】
図２に示すように、入賞突部４３の内側面のうち絞り部４４より下側部分には、絞り部４４に近い側から順番に第１円弧面４６Ａ、第２円弧面４６Ｂ、及び、傾斜面４６Ｃが連なり、下方に向かうに従って入賞突部４３内の横幅が広くなっている。また、第１円弧面４６Ａは、振分部材４５の球受面４５Ｍに遊技球が乗った状態で振分部材４５が回動したときに、その遊技球と僅かなクリアランスを保ち、遊技球が球受面４５Ｍから転落することを規制する。そして、振分部材４５が左右の一端まで回動すると、遊技球が第１円弧面４６Ａから離間して、球受面４５Ｍから始動入賞口２５Ａ，２５Ｂのガイド部２７上に落下する。落下した遊技球は、そのまま始動入賞口２５Ａ，２５Ｂに入賞するか、ガイド部２７上で弾んでアウト口２６Ｃ〜２６Ｅに入球する。
【００２０】
図３に示すように、入賞突部４３の内側面のうち絞り部４４より上側部分の内側面は、左右非対称な形状になっている。具体的には、絞り部４４の上側の右内側面４９は、段付き形状をなし、上下方向の途中位置に球受段差面４９Ｂを有する。その球受段差面４９Ｂは、極めて緩やかな勾配で左下がりに傾斜している。また、球受段差面４９Ｂの右側端部からは、略鉛直に上段側面４９Ａが起立している。一方、球受段差面４９Ｂの左側端部からは、下段側面４９Ｃが垂下している。その下段側面４９Ｃは、僅かに窪むように丸みを帯びかつ下方に向かうに従って僅かに右側に向かうように傾斜している。また、下段側面４９Ｃと球受段差面４９Ｂとの角部は、Ｒ面取りされて面取面４９Ｐになっている。
【００２１】
絞り部４４の上側の左内側面４８は、上端から上下方向の途中位置までの間が、下方に向かうに従って左側に向かうように略直線状に傾斜し、そこから絞り部４４までの間が、僅かに丸みを帯びかつ下方に向かうに従って右側に向かうように傾斜している。また、左内側面４８のうち最も右側に位置する上下方向の途中位置は、右内側面４９の球受段差面４９Ｂより上方の位置している。さらに、右内側面４９のうち最も右側に位置する球受段差面４９Ｂと左内側面４８のいずれの位置との間も遊技球の直径の１倍以上、２倍未満になっている。また、入球口４２の上側近傍の前述した１対の特別障害釘２９Ａの間は、入球口４２の開口幅より僅かに小さく、例えば遊技球の直径の１．５倍以上、２倍未満になっている。
【００２２】
以上の構造により、絞り部４４に向かう遊技球が入賞突部４３内で噛み合ってしまうことを防いでいる。即ち、１対の特別障害釘２９Ａによって入球口４２に２つの遊技球が水平横並びになって同時に入球することが防がれ、２つの遊技球が同時に入球するときには、右下がりに並んだ状態か左下がりに並んだ状態になる。
【００２３】
２つの遊技球が右下がりに並んだ状態で入球口４２に入球すると、図４に示すように、右側の遊技球は球受段差面４９Ｂで受け止められると共に、左側の遊技球に押されて上段側面４９Ａに押し付けられる。これにより、左側の遊技球がスムーズに絞り部４４へと向かい、その後、右側の遊技球が絞り部４４に向かう。
【００２４】
また、図３に示すように、２つの遊技球が右下がりに並んだ状態で入球口４２に入球して、右側の遊技球が右内側面４９の面取面４９Ｐに当接したときには、右側の遊技球の中心が面取面４９Ｐより左側に位置することになり、右側の遊技球が左側の遊技球より先に絞り部４４に向かう。なお、２つの遊技球が左下がりに並んだ状態で入球口４２に入球して、そのまま左側の遊技球が絞り部４４にスムーズに向かう。
【００２５】
以上のようにして、絞り部４４に向かう遊技球が入賞突部４３内で噛み合うことが防がれる。また、図６に示すように、入球口４２の前側の開口縁には、その略中央に上部突壁４２Ｔが設けられている。上部突壁４２Ｔは、下辺が上辺より長く、左右の両側辺は下辺から上方に向かって平行な直線で延び、途中から上辺の端部に向かって湾曲した形状になっている。また、上部突壁４２Ｔの前側部分は入賞突部４３の前面から前方に突出し、後面は、上辺から下方に向かうに従って後方に向かうよう傾斜する中央傾斜面４２Ｔ１と、左右の両側辺から中央傾斜面４２Ｔ１に向かって傾斜するサイド傾斜面４２Ｔ２，４２Ｔ２とが形成されている。入球口４２の開口縁の内側は左右非対称の形状になっており、右側の角部は前後共に略直角になっていて、左側の角部は前後共に丸みのある角になっている。また、左側の角部は、後側角部４２Ａより前側角部４２Ｂが上方に位置する、段違いの位置関係となっている。
【００２６】
図２に示すように、入賞突部４３の両外側面４７は、上から順番に、屈曲斜面４７Ａ，円弧面４７Ｂ，裾斜面４７Ｃを連ねてなる。屈曲斜面４７Ａは、入賞突部４３の上端部から鉛直に垂下し、途中で僅かに外側に傾斜している。また、円弧面４７Ｂは、丸みを帯びて屈曲斜面４７Ａの下端より外側に傾斜し、裾斜面４７Ｃは、平坦でかつ緩やかな角度で傾斜している。また、円弧面４７Ｂと裾斜面４７Ｃは、前述した振分部材４５と傾斜面４６Ｃの裏側に位置している。
【００２７】
また、入賞突部４３の左側の側面には、傾斜面４６Ｃの下端から入賞突部４３全体の下端まで鉛直側面４７Ｅが垂下している。また、その鉛直側面４７Ｅの左横には、遊技板１１の前面にアウト口２６Ｂが開口している。
【００２８】
一方、入賞突部４３の右側の側面には、傾斜面４６Ｃの下端から僅かに段付き状に下がって傾斜面４６Ｃと同じ勾配で傾斜する中継斜面４７Ｄが設けられている。また、その中継斜面４７Ｄの下った先には、前後方向に延びる１対の円弧溝２４Ｍが横並びに形成され、それら１対の円弧溝２４Ｍに対応した１対のアウト口２４が遊技板１１の前面に開口している。なお、円弧溝２４Ｍ内には、前後方向に延びるガイドリブ２４Ｇが形成されている。
【００２９】
入賞突部４３の前面は、カバープレート５０によって覆われている。そのカバープレート５０は、入賞突部４３の両側面４７より両側方に張り出している。また、カバープレート５０の左側部分の下端部は、三角形の突片構造をなして側方に張り出し、アウト口２６Ｂの一部を前方から覆うと共に、アウト口２６Ｂへと遊技球を案内するリブ４７Ｆを備えている。一方、カバープレート５０の右側部分は、１対のアウト口２４の全体を前方から覆う位置まで延長されている。
【００３０】
カバープレート５０は、透明な樹脂からなり、図５に示したシール５３が貼付されて装飾されている。そのために、カバープレート５０の前面には、シール５３に対応した形状のシール貼付面５１が設けられている。具体的には、シール５３は、例えば、厚さが１［ｍｍ］以下の透明な樹脂シートであり、左右対称の台形の底辺を下方に僅かに膨らむように湾曲させた形状をなしている。また、シール５３の後面には接着材を塗布されていて、前面に図柄５３Ａが印刷されている。
【００３１】
シール貼付面５１は、シール貼付面５１以外のカバープレート５０の前面から段付き状に陥没し、その陥没深さは、シール５３の厚さと同じ又はそれより深くなっている。また、シール貼付面５１は、シール５３より僅かに大きくかつ略相似した形状になっている。さらに、シール貼付面５１とそれより外側部分との間の包囲段差部５２Ｅにおける段差面５２Ｄと、シール貼付面５１及びそれより外側部分の前面とは、ピン角状態に直交している（つまり、面取りされていない状態で直交している）。これにより、シール５３の側面５３Ｓが、前述の段差面５２Ｄに当接した状態でシール貼付面５１に貼り付けられても、シール５３の縁部を含む全体が平坦な状態でシール貼付面５１に貼り付けられる。
【００３２】
図７に示すように、シール貼付面５１の左右の斜辺部分の包囲段差部５２Ｅには、それら上端部をシール貼付面５１の左右方向の中央側に段付き状に突出させて１対の位置決段差部５２Ａが形成されている。また、１対の位置決段差部５２Ａにおける段差面５２Ｄは、それら位置決段差部５２Ａを除くシール貼付面５１の左右の斜辺部分の全体の段差面５２Ｄより内側に平行移動した位置関係になっている。さらには、シール５３の左右の斜辺部分の側面５３Ｓが、１対の位置決段差部５２Ａの両方の段差面５２Ｄに当接したときに、シール５３の上辺部分の側面５３Ｓがシール貼付面５１の上辺部分の段差面５２Ｄの全体に当接するか隣接する位置関係になっている。これにより、シール５３をシール貼付面５１に貼付する際に、シール５３の上端部をシール貼付面５１の上端部の位置決段差部５２Ａに当接させて、シール５３の全体をシール貼付面５１に対して左右方向と上下方向との両方向で２次元的に位置決めして貼付作業を行うことができる。これにより、シール貼付面５１に対するシール５３の貼り付け位置が安定し、シール５３の両側辺及び下辺と、包囲段差部５２Ｅとの間に均一幅の隙間が形成されて見栄えがよくなる。また、シール５３のシール貼付面５１に対する位置関係が安定することで、シール５３の図柄５３Ａの一部を、シール５３の近傍の遊技機構成部品の位置確認に使用することができる。
【００３３】
具体的には、本実施形態では、図８（Ａ）に示すように、シール５３の図柄５３Ａには、１対の特別障害釘２９Ａの真下位置で鉛直方向に延びる１対の釘目印５３Ｂが含まれている。また、１対の特別障害釘２９Ａを遊技板１１から突出させるために遊技板１１に予め穿孔された１対の釘孔２９Ｚの中心が、１対の各釘目印５３Ｂの各中心線Ｌ１上に位置するように配置されている。よって、図８（Ａ）に示すように、特別障害釘２９Ａが、釘孔２９Ｚに対して真っ直ぐ嵌合されている場合には、遊技板１１を前方から見て１対の特別障害釘２９Ａのヘッド部２９Ｈの中心２９Ｐが、１対の各釘目印５３Ｂの各中心線Ｌ１上に位置する。
【００３４】
しかしながら、１対の特別障害釘２９Ａの間隔が、遊技球の衝突か又は不正操作により変更されていると、図８（Ｂ）に示すように１対の特別障害釘２９Ａのヘッド部２９Ｈの中心２９Ｐが、１対の各釘目印５３Ｂの各中心線Ｌ１上から外れ、目視確認によって１対の特別障害釘２９Ａの間隔が正規の位置に対してずれていることが容易に判る。
【００３５】
図５及び図６には、上述した入賞突部４３を一部に含んだ遊技機構成部品である入球役物９０の全体が示されている。そして、入球役物９０が遊技板１１を形成された貫通孔に前方から組み付けられ、上述したように入賞突部４３が遊技板１１の前面から突出した状態になっている。なお、振分部材４５等の一部の部品を除き、入球役物９０の全体は、透明な樹脂で形成されている。また、大入賞口２１Ｋや、普通入賞口２０Ｋや、始動入賞口１９Ｋ等を有する入球役物も、入球役物９０と同様に遊技板１１の貫通孔に組み付けられている。
【００３６】
以下、入球役物９０の構造について説明する。図９及び図１０には、入球役物９０が複数の部品に分解された状態が示されている。図９において符号４０は、入球ダクトであって、前述した入賞突部４３を含み、遊技板１１の前面に固定される。そのために、入球ダクト４０から両側方に固定突片４０Ｗが張り出されていて、それら固定突片４０Ｗに形成されている取付孔９１に図示しないネジ（具体的には、ヘッド部が円錐形の皿ネジ）が通されて遊技板１１に締め付けられる。また、固定突片４０Ｗの後面からは、位置決めピン９２（図１２参照）が突出していて、遊技板１１の前面に形成されたピン孔（図示せず）に嵌合される。
【００３７】
なお、固定突片４０Ｗの外縁部には、斜面４０Ｒが備えられていて、遊技板１１の前面を流下する遊技球が固定突片４０Ｗに容易に乗り上がるようになっている。
【００３８】
図１１に示すように、入球ダクト４０の後面には、前述した始動入賞口２５Ａ，２５Ｂと、アウト口２６Ｃ〜２６Ｅとが開口している。そして、始動入賞口２５Ａ，２５Ｂに入賞した遊技球を検出するための１対の検出スイッチ６０（図９参照）が入球ダクト４０の後面に重ねて取り付けられる。図９に示すように、検出スイッチ６０は、縦長の長方形をなし、その一端部に遊技球が通過する貫通孔６０Ａを備える。また、図１１に示すように、入球ダクト４０の後面には、始動入賞口２５Ａを含んだ領域と始動入賞口２５Ｂを含んだ領域とをそれぞれ包囲するように、複数の位置決突起６６が突出している。そして、入球ダクト４０の後面におけるそれら２つの領域に１対の検出スイッチ６０が重ねられて複数の位置決突起６６にて位置決めされ、１対の検出スイッチ６０の貫通孔６０Ａが始動入賞口２５Ａ，２５Ｂに対向している。また、１対の検出スイッチ６０を後方から覆うカバー部材６５が入球ダクト４０にネジ止めされることで、１対の検出スイッチ６０が入球ダクト４０に固定されている。
【００３９】
なお、図１０に示すように、カバー部材６５のうち１対の検出スイッチ６０の貫通孔６０Ａが対向する部分には、貫通孔６０Ａを通過した遊技球を下方に案内する１対の下向ガイド６５Ａが設けられている。また、カバー部材６５の後面には、１対の下向ガイド６５Ａの上方位置から後方に突出する１対の支柱６５Ｂが設けられている。そして、それら１対の支柱６５Ｂに図示しない背面カバーが取り付けられてアウト口２４，２６Ｂ〜２６Ｅを通過した遊技球が下方に案内される。
【００４０】
図９に示すように、入球ダクト４０の前面には、複数のネジ孔９５と、複数のピン孔９６と、四角形の位置決め突部９４とが形成されている。それらに対応して、カバープレート５０には、図１０に示すように、複数の取付孔５０Ａと複数の位置決めピン５０Ｃと四角形の位置決め孔５０Ｂとが備えられている。そして、位置決め突部９４と位置決め孔５０Ｂとの嵌合と、位置決めピン５０Ｃとピン孔９６との嵌合とによってカバープレート５０が入球ダクト４０に位置決めされ、取付孔５０Ａに通したネジがネジ孔９５に締め付けられてカバープレート５０が入球ダクト４０に固定されている。なお、位置決め突部９４及び位置決め孔５０Ｂと、一部の取付孔５０Ａ及びそこに通されたネジは、シール５３に前方から覆われて隠される。
【００４１】
図６に示すように、前述した１対のアウト口２４の円弧溝２４Ｍの一部は、遊技板１１の前面に重ねて固定される固定板５４に一体に形成されている。その固定板５４は、入球ダクト４０の固定突片４０Ｗと同様に、取付孔９１と位置決めピン９２とを有すると共に前面の外縁部に傾斜面５４Ａ（図５参照）を備える。そして、固定板５４を貫通する１対のアウト口２４の下縁部から円弧溝２４Ｍが後方に突出している。また、カバープレート５０の後面から連絡部材５５Ａが突出していて、固定板５４にネジ止めされている。さらに、カバープレート５０の後面には、遊技球を１対のアウト口２４に案内するガイド突壁５５Ｂが突出していて、そのガイド突壁５５Ｂの一部がアウト口２４の円弧溝２４Ｍの一部になっている。
【００４２】
さて、図１１に示すように、入球ダクト４０は、上下方向の途中位置で下側の入球役物本体８１と、上側の入球口アダプタ８２とに分解されている。そして、入球役物本体８１に対して、形状が異なる複数種類の入球口アダプタ８２を取り付けることで、入球役物９０の入球口４２の大きさや位置を容易に変更することができるようになっている。
【００４３】
具体的には、入球ダクト４０の内部流路９０Ｒを包囲する壁部は、絞り部４４を含んだ水平面で分割されている。即ち、入球役物本体８１の上端部には、絞り部４４が開口し、その開口縁は、水平で平坦な接合面８１Ｋになっている。また、入球役物本体８１の接合面８１Ｋの前縁部における横方向の中央からは前面突部８１Ｌが突出している。前面突部８１Ｌは、前後方向から見ると四角形になっていて、前側部分が入球役物本体８１の前面から前方に突出している。また、前面突部８１Ｌの後面は、上方に向かうに従って前方に向かうように傾斜している。
【００４４】
入球口アダプタ８２の下端部にも、絞り部４４が開口し、その開口縁は、水平で平坦な接合面８２Ｋ（図１２参照）になっている。また、図９に示すように、入球口アダプタ８２の前面の下端部には、縦溝８２Ｌが形成され、図示しないが、その縦溝８２Ｌは上方に向かうに従って浅くなっている。さらに、図１２に示すように、接合面８２Ｋの左右の両側部からは、１対の裾突片６１Ｗが斜め下方に向かって張り出している。それら裾突片６１Ｗの下端部は、次述する固定突片８２Ｗより下方に位置している。
【００４５】
そして、入球役物本体８１と入球口アダプタ８２とが合体して入球ダクト４０になったときには、接合面８１Ｋ，８２Ｋが重なり合うと共に、前面突部８１Ｌの後部が縦溝８２Ｌに収まり（図９参照）、前面突部８１Ｌの前側部分が入球ダクト４０の前面から突出して前述した位置決め突部９４になる。また、入球口アダプタ８２の１対の裾突片６１Ｗが、入球役物本体８１の絞り部４４の両側の外側面に重なると共に、入球役物本体８１の次述する固定突片８１Ｗの前面に突き合わされる。
【００４６】
入球ダクト４０の固定突片４０Ｗは、入球役物本体８１側の固定突片８１Ｗと、入球口アダプタ８２側に固定突片８２Ｗに分割され、それらの間の分割面は、前後方向に対して傾斜している。詳細には、入球役物本体８１側の固定突片８１Ｗの前面上縁部には、接合斜面８１Ｒが形成されると共に、入球口アダプタ８２側の固定突片８２Ｗの後面下縁部には、接合斜面８２Ｒが形成されている。そして、入球役物本体８１の接合斜面８１Ｒに、入球口アダプタ８２の接合斜面８２Ｒが前側から重なる。なお、固定突片８１Ｗ，８２Ｗの接合斜面８１Ｒ，８２Ｒは、前後方向から見ると水平より僅かに下方に膨らむように湾曲している。
【００４７】
図１２に示すように、入球口アダプタ８２は、前後方向で第１アダプタ構成部品６１と第２アダプタ構成部品６２とに分割されている。第２アダプタ構成部品６２は、入球口アダプタ８２の内部流路９０Ｒの後側の壁部をなす後部プレート６２Ｐを主体としている。その後部プレート６２Ｐは、横長の長方形状をなしている。また、後部プレート６２Ｐの両側縁部から１対の第１嵌合筒部６７が後方に突出し、それら１対の第１嵌合筒部６７の下隣に１対の第２嵌合筒部６８が設けられている。これら第１及び第２の嵌合筒部６７，６８は、同一の円筒状をなし、前側開口より後側開口が絞られている。また、第１及び第２の嵌合筒部６７，６８の後側開口の開口縁は、擂り鉢状に窪んだ凹部６７Ａ，６８Ａになっている。さらに、第１及び第２の嵌合筒部６７，６８は、全長に亘って互いに隣接している部分を接続されると共に、前端部同士を後部プレート６２Ｐと平行なリブ６２Ｌで接続されている。なお、１対の第２嵌合筒部６８の後端部からは下方に１対の垂下突部６９が突出している。
【００４８】
一方の第１アダプタ構成部品６１は、入球口アダプタ８２のうち内部流路９０Ｒの後側の壁部を除いた溝形形状をなしかつ、前述した１対の固定突片８２Ｗを備えている。また、１対の固定突片８２Ｗの後面には、下端の絞り部４４寄り位置から後方に１対の第１嵌合突部８３が突出している。これら１対の第１嵌合突部８３は、第２アダプタ構成部品６２の１対の第１嵌合筒部６７の内側に嵌合可能な円筒状をなしている。
【００４９】
第２アダプタ構成部品６２の１対の第２嵌合筒部６８の内側に嵌合可能な１対の第２嵌合突部８４は、入球役物本体８１に設けられている。それら１対の第２嵌合突部８４は、入球役物本体８１における１対の固定突片８１Ｗの後面から後方に突出している。また、１対の第２嵌合突部８４も、第１嵌合突部８３と同様に、１対の第２嵌合筒部６８の内側に嵌合可能な円筒状をなしている。
【００５０】
入球口アダプタ８２は、以下のようにして入球役物本体８１に取り付ける。すなわち、図１３に示すように、入球口アダプタ８２の第１アダプタ構成部品６１は、第２アダプタ構成部品６２から分離された状態で入球役物本体８１に組み付けられる。
【００５１】
具体的には、第１アダプタ構成部品６１の接合面８２Ｋが入球役物本体８１の接合面８１Ｋに重ねられ（図３参照）、第１アダプタ構成部品６１の縦溝８２Ｌに入球役物本体８１の前面突部８１Ｌが受容され（図９参照）、第１アダプタ構成部品６１の裾突片６１Ｗが入球役物本体８１の固定突片８１Ｗの前面に突き合わされる（図９参照）。
【００５２】
これにより、第１アダプタ構成部品６１が、入球役物本体８１の前面突部８１Ｌによって前方への移動を規制される一方、入球役物本体８１の固定突片８１Ｗによって後方への移動を規制された状態になる。
【００５３】
この状態になると、図１３に示すように１対の第１嵌合突部８３と１対の第２嵌合突部８４とが、上下に並ぶ。そこで、第２アダプタ構成部品６２を後方から第１アダプタ構成部品６１と入球役物本体８１とに接近させて、第１アダプタ構成部品６１の１対の第１嵌合突部８３に、第２アダプタ構成部品６２の１対の第１嵌合筒部６７を嵌合すると同時に、入球役物本体８１の１対の第２嵌合突部８４に、第２アダプタ構成部品６２の１対の第２嵌合筒部６８を嵌合する。そして、１対の第１嵌合筒部６７と１対の第２嵌合筒部６８の後側の開口を通して、図示しないネジを第１及び第２の嵌合突部８３，８４の内側の中心孔８３Ｎ，８４Ｎにねじ込む。これにより、第１アダプタ構成部品６１と第２アダプタ構成部品６２とが一体になって入球口アダプタ８２が構成されると共に、その入球口アダプタ８２が入球役物本体８１に固定される。
【００５４】
なお、図示しないが入球役物本体８１も、前側本体構成部品６３と後側本体構成部品６４とに分解可能になっていて、分解した状態で前述の振分部材４５等が入球役物本体８１内に組み付けられる。
【００５５】
本実施形態のパチンコ遊技機の遊技板１１の構成に関する説明は以上である。本実施形態のパチンコ遊技機では、前述したようにシール５３を、シール貼付面５１を包囲する包囲段差部５２Ｅの一部の位置決段差部５２Ａに当接させて、シール貼付面５１に対して二次元的に位置決めすることができる。これにより、シール５３をシール貼付面５１の正しい位置に安定して貼り付けることが可能になる。
【００５６】
また、シール５３は、一方向に向かって徐々に幅狭となる形状をなし、位置決段差部５２Ａは、シール５３の幅狭側の端部における幅方向の両側の１対の非平行な側面５３Ｓに面当接可能に形成されているので、シール５３をその幅狭になる方向に移動して位置決段差部５２Ａに当接させれば、位置決段差部５２Ａをガイドにしてシール５３を正規の位置に容易に移動することができる。
【００５７】
さらには、シール５３に印刷された直線状の１対の釘目印５３Ｂの延長線上に、１対の特別障害釘２９Ａが位置しているので、釘目印５３Ｂを基準にして、特別障害釘２９Ａが正しい姿勢になっているか否かを容易に確認することができる。
【００５８】
また、本実施形態では、入球役物９０が、入球口４２を含んだ入球口アダプタ８２とそれ以外の入球役物本体８１とに分割されているので、入球役物本体８１に固定する入球口アダプタ８２を変更して、入球役物９０の入球口４２の位置又は大きさを容易に変更することができる。これにより、機種変更時に入球役物９０の入球役物本体８１を流用することができ、新機種の開発コスト及び製造費を抑えることができる。
【００５９】
本実施形態では、入球役物本体８１と第１アダプタ構成部品６１とに形成された１対の第１嵌合突部８３と１対の第２嵌合突部８４とが、第２アダプタ構成部品６２に形成された１対の第１嵌合筒部６７と１対の第２嵌合筒部６８とに嵌合することで、入球役物本体８１と第１アダプタ構成部品６１と第２アダプタ構成部品６２とが互いに位置決めされた状態で固定され、組み付け品質が安定する。また、第１及び第２の嵌合突部８３，８４と第１及び第２の嵌合筒部６７，６８との周面同士の当接によって負荷を受けることができ、負荷が分散される。しかも、第１及び第２の嵌合筒部６７，６８の後端面の貫通孔を通したネジが第１及び第２の嵌合突部８３，８４の中心孔８３Ｎ，８４Ｎに締め付けられることにより、第１及び第２の嵌合突部８３，８４と第１及び第２の嵌合筒部６７，６８との嵌合が深まった状態に保持され、入球役物本体８１と第１アダプタ構成部品６１と第２アダプタ構成部品６２との固定が安定する。
【００６０】
また、本実施形態の構成では、入球役物本体８１と入球口アダプタ８２を遊技板１１に固定するための固定板部８１Ｗ，８２Ｗに、前後方向に対して傾斜しかつ互いに重なり合う接合斜面８１Ｒ，８２Ｒが形成されているので、固定板部８１Ｗ，８２Ｗの一体感がまして見栄えがよくなると共に、固定板部８１Ｗ，８２Ｗの前方を遊技球がスムーズに流下するようになる。しかも、入球役物本体８１の接合斜面８１Ｒが前方を向いているので、入球役物本体８１のみで使用したときに、接合斜面８１Ｒを固定板部８１Ｗへの遊技球の乗り上げ面として使用することができる。
【００６１】
さらに、入球役物本体８１及び入球口アダプタ８２の固定板部８１Ｗ，８２Ｗのうち、互いに重なり合っていない縁部の前面に斜面４０Ｒが形成され、それら入球役物本体８１及び入球口アダプタ８２の斜面４０Ｒが連続して延びているので、固定板部８１Ｗ，８２Ｗ同士の一体感が増すと共に、遊技球が容易に固定板部８１Ｗ，８２Ｗに乗り上がることができる。
【００６２】
［他の実施形態］
（１）前記実施形態では、始動入賞口２５Ａ，２５Ｂとアウト口２６Ｃ〜２６Ｅを有する入球役物９０に入球口アダプタ８２を備えた例を示したが、普通入賞口２０Ｋ，２２Ｋを有する入球役物や、入球役物としてのダクト１８に入球口アダプタを備えてもよい。
【００６３】
（２）前記実施形態の構成において、シール５３の接着面に剥離シートをつけた状態でシール５３と位置決段差部５２Ａとの当接によって位置決めし、シール５３の一部をシール貼付面５１に押しつけた状態で、他の一部の剥離シートを剥がしてシール５３の一部をシール貼付面５１に貼り付け、残りの剥離シートを剥がしてシール５３の他の一部をシール貼付面５１に貼り付けてもよい。
【００６４】
（３）前記実施形態では、シール５３に備えた１対の釘目印５３Ｂによって、入球口４２の近傍の１対の特別障害釘２９Ａが正しい姿勢になっているか否かを確認できる構成になっていたが、入球口の近傍以外の位置に配置された障害釘２９が正しい姿勢になっているか否かを確認できる構成にしてもよい。
【００６５】
（４）前記実施形態では、シール貼付面は入賞突部４３の前面を覆うカバープレート５０に形成されていたが、入賞突部２０，２２，２３の前面に形成されてもよい。
【００６６】
＜付記＞
前記実施形態で例示したパチンコ機には、以下の第１〜第５の発明群が含まれていると考えることができる。なお、以下の各発明群の末尾には、発明の構成要素に対応する実施形態上の各部位が示されている。
【００６７】
（第１の発明群）
［発明１］
平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、
前記包囲段差部の一部として設けられ、前記シールの側面に当接して前記シールを前記シール貼付面内で二次元的に位置決めし、前記包囲段差部の前記一部を除いた全体と前記シールとの間に隙間を形成する位置決段差部を備える遊技機。
【００６８】
この発明によれば、シールを、シール貼付面を包囲する包囲段差部の一部である位置決段差部に当接させて、二次元的に位置決めすることができる。これにより、シールをシール貼付面の正しい位置に安定して貼り付けることが可能になる。
【００６９】
［発明２］
前記シールは、一方向に向かって徐々に幅狭となる形状をなし、
前記位置決段差部は、前記シールの幅狭側の端部における幅方向の両側の１対の非平行な側面に面当接可能に形成されている発明１に記載の遊技機。
【００７０】
この発明によれば、シールをその幅狭になる方向に移動して位置決段差部に当接させれば、位置決段差部をガイドにしてシールを正規の位置に容易に移動することができる。
【００７１】
［発明３］
遊技球が流下する遊技領域を前面に有すると共に、その遊技領域に前記遊技機構成部品が固定されている遊技板と、
前記遊技板から前方に突出して遊技球と衝突する複数の障害釘と、
前記シールに印刷されて直線状に延び、その延長線上に一部の前記障害釘が位置する釘目印と、を備える発明１又は２に記載の遊技機。
【００７２】
この発明によれば、釘目印を基準にして、障害釘が正しい姿勢になっているか否かを容易に確認することができる。
【００７３】
［発明４］
前記遊技機構成部品に形成され、真上を向いて開口し、遊技球が入球可能な入球口と、
前記複数の障害釘に含まれ、前記入球口の上側近傍で、遊技球の直径以上の間隔を開けて横並びに配置された１対の特別障害釘と、を有し、
前記釘目印は、前記１対の特別障害釘のそれぞれの真下位置で、上下方向に延びている発明３に記載の遊技機。
【００７４】
この発明によれば、入球口の上側近傍の１対の特別障害釘の姿勢の管理が容易になる。また、それにより１対の特別障害釘の姿勢が容易に一定にすることができ、入球口に入球する確率が安定する。
【００７５】
［発明５］
前記遊技機構成部品は、複数の部品を組み付けてネジで固定してなり、
前記シール貼付面には、前記ネジのヘッド部が受容される凹部が形成され、
前記凹部が前記シールにて覆われている発明１乃至４の何れか１の発明に記載の遊技機。
【００７６】
この発明によれば、ネジのヘッド部がシールに覆い隠されて、見栄えがよくなる。
【００７７】
［発明６］
平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、
前記シールが、前記包囲段差部における段差面に当接して位置決めされている発明１乃至５の何れか１の発明に記載の遊技機。
【００７８】
この発明によれば、シールを包囲段差部の一部として設けられた位置決段差部に当接させるだけで位置決めすることができる。これにより、シール貼付面内におけるシールの貼付位置のばらつきが抑えられる。
【００７９】
［第１の発明群の構成要素と実施形態上の各部位の符号及び名称の対応関係］
遊技機構成部品：５０（カバープレート）、シール貼付面：５１、包囲段差部：５２Ｅ、位置決段差部：５２Ａ、障害釘：２９，特別障害釘：２９Ａ、入球口：４２、釘目印５３Ｂ、凹部：５０Ａ（取付孔）、シール：５３
【００８０】
（第２の発明群）
［発明１］
平坦かつ非円形のシール貼付面を有する遊技機構成部品と、前記シール貼付面を包囲しかつ前記シール貼付面から段付き状に突出する包囲段差部と、前記シール貼付面に貼付されて、前記遊技機構成部品を装飾するシールとを有する遊技機において、
前記包囲段差部の段差面は、前記シール貼付面と前記シール貼付面より外側の遊技機構成部品の前面と直交し、前記シールが前記段差面に当接して、前記シール全体を平坦な状態で貼付することが可能な遊技機。
【００８１】
この発明によれば、包囲段差部の段差面にシールを当接させることで位置決めされる。さらに、段差面がシール貼付面及びシール貼付面より外側の遊技機構成部品の前面と直交しているため、シールを段差面に当接させたときに、シール全体が平坦な状態でシール貼付面に貼付することが可能となる。これにより、シール貼付面内におけるシールの添付位置のばらつきを抑えられ、シールが貼付し易くなる。
【００８２】
［第２の発明群の構成要素と実施形態上の各部位の符号及び名称の対応関係］
遊技機構成部品：５０（カバープレート）、シール貼付面：５１、包囲段差部：５２Ｅ、シール：５３、段差面：５２Ｄ
【００８３】
（第３の発明群）
［発明１］
遊技球が流下する遊技領域を前面に有する遊技板と、
少なくとも一部が前記遊技板の前面から前方に突出し、その突出部分に遊技球が入球する入球口を有する入球役物と、
前記入球役物の内部に形成され、前記入球口に入球した遊技球が流下する内部流路と、を備える遊技機において、
前記入球役物は、前記入球口を含んだ前記内部流路の一部を有する入球口アダプタと、前記一部以外の前記内部流路を有する入球役物本体とに分割されている遊技機。
【００８４】
この発明によれば、入球役物が、入球口を含んだ入球口アダプタとそれ以外の入球役物本体とに分割されているので、入球役物本体に固定する入球口アダプタを変更して、入球役物の入球口の位置又は大きさを変更することができる。これにより、機種変更時に入球役物の入球役物本体を流用することができ、新機種の開発コスト及び製造費を抑えることができる。
【００８５】
［発明２］
前記入球口アダプタは、第１アダプタ構成部品と第２アダプタ構成部品とを合体させてなり、
前記入球役物本体の少なくとも一部が、前記第１アダプタ構成部品と前記第２アダプタ構成部品とに挟まれている発明１に記載の遊技機。
【００８６】
この発明のように、入球口アダプタを構成する第１アダプタ構成部品と第２アダプタ構成部品とが入球役物本体の一部を挟んで固定されてもいてもよいし、入球口アダプタを入球役物に一方から重ねて固定されていてもよい。
【００８７】
［発明３］
前記入球役物本体と前記第１アダプタ構成部品とにそれぞれ少なくとも２つずつ形成されて互いに平行に延びる複数の嵌合突部と、
前記第２アダプタ構成部品に形成され、前記入球役物本体及び前記第１アダプタ構成部品の前記複数の嵌合突部が嵌合する複数の嵌合孔と、が形成されている発明２に記載の遊技機。
【００８８】
この発明によれば、入球役物本体と第１アダプタ構成部品と第２アダプタ構成部品とのそれぞれが安定して位置決めされる。
【００８９】
［発明４］
前記第２アダプタ構成部品には、前記複数の嵌合突部の外側に嵌合する複数の嵌合筒部が形成され、それらの内側が前記複数の嵌合孔になっている発明３に記載の遊技機。
【００９０】
この発明によれば、嵌合突部と嵌合筒部との周面同士の当接によって負荷を受けることができ、負荷が分散される。
【００９１】
［発明５］
前記複数の嵌合筒部の後端面の中心にはネジを貫通させるための貫通孔が形成され、
それら貫通孔に通されたネジが前記複数の嵌合突部の中心部に締め付けられている発明４に記載の遊技機。
【００９２】
この発明によれば、ネジの締め付けにより、嵌合突部と嵌合筒部との嵌合が深まった状態に保持され、入球役物本体と第１アダプタ構成部品と第２アダプタ構成部品との固定が安定する。
【００９３】
［発明６］
前記入球役物本体と前記入球口アダプタには、前記遊技板の前面に重ねられて固定される固定板部がそれぞれ設けられ、
前記入球役物本体及び前記入球口アダプタの前記固定板部には、前後方向に対して傾斜しかつ互いに重なり合う接合斜面が形成されている発明１乃至５の何れか１の発明に記載の遊技機。
【００９４】
この発明によれば、入球役物本体と入球口アダプタとの一体感を高くすることができる。
【００９５】
［発明７］
前記入球役物本体の前記接合斜面は前方を向き、前記入球口アダプタの前記接合斜面は後方を向いている発明６に記載の遊技機。
【００９６】
この発明によれば、入球役物本体の接合斜面が前方を向いているので、入球役物本体のみで使用したときに、接合斜面を固定板部への遊技球の乗り上げ面として使用することができる。
【００９７】
［発明８］
前記入球役物本体及び前記入球口アダプタの前記固定板部のうち、互いに重なり合っていない縁部の前面に斜面が形成され、それら入球役物本体及び入球口アダプタの縁部の前面に斜面が連続して延びている発明６又は７に記載の遊技機。
【００９８】
この発明によれば、入球役物本体と入球口アダプタとの一体感をより一層高くすることができる。
【００９９】
［発明９］
前記入球役物本体及び前記入球口アダプタの前記固定板部のそれぞれが遊技板にネジ止めされている発明６乃至８の何れか１の発明に記載の遊技機。
【０１００】
この発明のように、入球役物本体及び入球口アダプタの固定板部のそれぞれを遊技板にネジ止めしてもよいし、何れか一方の固定板部を遊技板にネジ止めしてもよい。
【０１０１】
［第３の発明群の構成要素と実施形態上の各部位の符号及び名称の対応関係］
入球役物：４０（入球ダクト）、内部流路：９０Ｒ、入球口アダプタ：８２、入球役物本体：８１、入球口：４２、第１アダプタ構成部品：６１、第２アダプタ構成部品：６２、嵌合突部：８３，８４（第１及び第２嵌合突部）、嵌合孔：６７Ａ，６８Ａ（凹部）、嵌合筒部：６７，６８（第１及び第２嵌合筒部））、固定板部：８１Ｗ，８２Ｗ（固定突片）、接合斜面：８１Ｒ，８２Ｒ
【０１０２】
（第４の発明群）
［発明１］
遊技球が流下する遊技領域を前面に有する遊技板と、前記遊技板に固定される第１及び第２の遊技機構成部品とを有する遊技機において、
前記第１の遊技機構成部品に設けられ、前記遊技板の前面に重ねられてネジ止めされる第１固定板部と、
前記第２の遊技機構成部品に設けられ、前記遊技板の前面に重ねられてネジ止めされる第２固定板部と、
前記第１固定板部の前面の縁部に形成されて前後方向に対して傾斜した第１前側斜面と、
前記第２固定板部の後面の縁部に形成されて前後方向に対して傾斜し、前記第１前側斜面に前側から重なる第２後側斜面とを備える遊技機。
【０１０３】
この発明によれば、第１の遊技機構成部品と第２の遊技機構成部品は、第１固定板部の第１前側斜面と、第２固定板部の第２後側斜面とが重なり、一体化して遊技板にネジ止めされている。そのため、機種変更時にどちらか一方だけを変えることができ、新機種の開発コスト及び製造費を抑えることができる。
【０１０４】
［発明２］
前記第２後側斜面は、前記第２固定板部の縁部の一部のみに形成されると共に、前記第２後側斜面が形成されていない前記第２固定板部の縁部の前面には、前後方向に対して傾斜した第２前側斜面が形成されている発明１に記載の遊技機。
【０１０５】
この発明では、第２固定板部の縁部のうち第２後側斜面が形成されていない部分の前面に、前後方向に対して傾斜した第２前側斜面が形成されているので、遊技球がスムーズに第２固定板部に乗り上がる。
【０１０６】
［発明３］
前記第１固定板部と前記第２固定板部とを前側から見ると、前記第１前側斜面と前記第２前側斜面とが連続して延びている発明２に記載の遊技機。
【０１０７】
この発明によれば、第１固定板部と第２固定板部との一体感がまして見栄えがよくなる。
【０１０８】
［発明４］
前記第１固定板部及び前記第２固定板部は、透明又は半透明な部材で構成され、前側から前記第１前側斜面及び前記第２前側斜面の少なくとも一方を視認可能である発明２又は３に記載の遊技機。
【０１０９】
この発明によれば、互いに重なり合った第１前側斜面又は第２前側斜面を装飾模様として見せることができる。
【０１１０】
［第４の発明群の構成要素と実施形態上の各部位の符号及び名称の対応関係］
第１の遊技機構成部品：８１（入球役物本体）、第２の遊技機構成部品：８２（入球口アダプタ）、第１固定板部：８１Ｗ（固定突片）、第２固定板部：８２Ｗ（固定突片）、第１前側斜面：８１Ｒ（接合斜面）、第２後側斜面：８２Ｒ（接合斜面）
【０１１１】
（第５の発明群）
［発明１］
遊技球が流下する遊技領域を前面に有する遊技板と、前記遊技板に固定されて、遊技機を構成する役物部品とを有する遊技機において、
前記役物部品が第１〜第３の構成部品を含む複数の構成部品からなり、
前記第１構成部品と前記第２構成部品とにそれぞれ少なくとも２つずつ形成されて互いに平行に延びる複数の嵌合突部と、
前記第３構成部品に形成され、前記第１構成部品及び前記第２構成部品の前記複数の嵌合突部が嵌合する複数の嵌合孔と、が形成されている遊技機。
【０１１２】
この発明によれば、第１〜第３の構成部品が嵌合突部と嵌合孔との嵌合によって互いに位置と姿勢を固定され、それらを含む役物部品の組み付け品質が安定する。
【０１１３】
［発明２］
前記第３構成部品には、前記複数の嵌合突部の外側に嵌合する複数の嵌合筒部が形成され、それらの内側が前記複数の嵌合孔になっている発明１に記載の遊技機。
【０１１４】
この発明によれば、嵌合突部と嵌合筒部との周面同士の当接によって負荷を受けることができ、負荷が分散される。
【０１１５】
［発明３］
前記複数の嵌合筒部の後端面の中心にはネジを貫通させるための貫通孔が形成され、
それら貫通孔に通されたネジが前記複数の嵌合突部の中心部に締め付けられている発明２に記載の遊技機。
【０１１６】
この発明によれば、ネジの締め付けにより、嵌合突部と嵌合筒部との嵌合が深まった状態に保持され、第１〜第３の構成部品の固定が安定する。
【０１１７】
［第５の発明群の構成要素と実施形態上の各部位の符号及び名称の対応関係］
第１構成部品：８１（入球役物本体）、第２構成部品：６１（第１アダプタ構成部品）、第３構成部品：６２（第２アダプタ構成部品）、嵌合突部：８３，８４（第１及び第２嵌合突部）、嵌合孔：６７Ａ，６８Ａ（凹部）、嵌合筒部：６７，６８（第１及び第２嵌合筒部）
【０１１８】
（第６の発明群）
［発明１］
遊技球が流下する遊技領域を前面に有する遊技板と、前記遊技板に固定されて、遊技機を構成する役物部品と、遊技板の前面に打ち込まれた複数の障害釘と、を有する遊技機において、
１対の平行な直線状の線模様を有する遊技機構成部品と、
前記複数の障害釘に含まれ、遊技球の直径の１倍以上、２倍未満の間隔を開けて配置され、前記１対の線模様の延長線上に配置される１対の特別障害釘と、を備える遊技機。
【０１１９】
この発明によれば、釘目印を基準にして、特別障害釘が正しい姿勢になっているか否かを容易に確認することができる。
【０１２０】
［第６の発明群の構成要素と実施形態上の各部位の符号及び名称の対応関係］
障害釘：２９、遊技機構成部品：５３（シール）、特別障害釘：２９Ａ
【符号の説明】
【０１２１】
１１    遊技板
２９    障害釘
２９Ａ    特別障害釘
４２    入球口
５０    カバープレート
５０Ａ    取付孔
５１    シール貼付面
５２Ａ    位置決段差部
５２Ｅ    包囲段差部
５３Ｂ    釘目印
【図１】
0006976589.tif 000002
【図２】
0006976589.tif 000003
【図３】
0006976589.tif 000004
【図４】
0006976589.tif 000005
【図５】
0006976589.tif 000006
【図６】
0006976589.tif 000007
【図７】
0006976589.tif 000008
【図８】
0006976589.tif 000009
【図９】
0006976589.tif 000010
【図１０】
0006976589.tif 000011
【図１１】
0006976589.tif 000012
【図１２】
0006976589.tif 000013
【図１３】
0006976589.tif 000014